(57)【要約】【課題】  従来のカメラ機器は、キャビネット内に発生した熱を放熱するため、放熱部材を数点新たに要し、構造が複雑となる。【解決手段】  デジタルカメラ１の筐体２内において発熱源となる撮像素子２１および電気素子２４で発生した熱が、筐体２内において液晶モニタ７を保持する、発熱源と熱的に連結された液晶保持部２２を伝わり、筐体２の底面の一部において外部に露出する液晶保持部２２の一部から外部に放熱される。このように、液晶モニタ７を保持する液晶保持部２２が放熱部を兼ね、放熱部を新たに設けずに発熱源で発生した熱を放熱することが可能となる。【選択図】  図２
2012173591.tif 000002
【特許請求の範囲】
【請求項１】
表示部を有する電子機器において、
前記電子機器の筐体内に設けられて前記表示部を保持し、前記筐体内にある発熱源と熱的に連結されて一部が前記筐体の表面の少なくとも一部において外部に露出する表示部保持部
を備える電子機器。
【請求項２】
請求項１に記載の電子機器において、
前記表示部保持部は、放熱性に優れた部材から成ることを特徴とする電子機器。
【請求項３】
請求項１または請求項２に記載の電子機器において、
前記筐体の少なくとも一部は、放熱性に優れた部材から成り、前記表示部保持部と熱的に連結されることを特徴とする電子機器。
【請求項４】
請求項１から請求項３のいずれか１項に記載の電子機器において、
外部に露出する前記表示部保持部の露出部分と放熱ブロックとを着脱自在に接触させる係合部を備えることを特徴とする電子機器。
【発明の詳細な説明】
【技術分野】
【０００１】
本発明は、表示部および発熱源を備えた電子機器に関する。
【背景技術】
【０００２】
従来、この種の電子機器としては、例えば、特許文献１に開示されたカメラ機器がある。
【０００３】
特許文献１に記載のカメラ機器のキャビネット内には、通電時に発熱する画像信号処理回路を実装した回路基板が設けられている。キャビネットの下面には、三脚台に着脱可能に取り付けられる座台が設けられている。座台には、熱を円滑に伝達する材質から形成された、回路基板を囲むシールドプレートが、第２放熱片を介して取り付けられている。シールドプレートは、アルミニウムから形成されたヒートシンクおよび熱伝導性のゴムから形成された第１放熱片並びに第３放熱片を介して、回路基板の画像信号処理回路に繋がっている。画像信号処理回路で発生した熱は、第１放熱片および第３放熱片、ヒートシンク、シールドプレートを伝わってキャビネットから一部放熱され、残りの熱はシールドプレートを伝わって第２放熱片および座台に流れて放熱される。
【先行技術文献】
【特許文献】
【０００４】
【特許文献１】特開２００１−１９４７１２号公報
【発明の概要】
【発明が解決しようとする課題】
【０００５】
しかしながら、上記従来のカメラ機器では、キャビネット内に発生した熱を放熱するため、第１放熱片、第２放熱片、および第３放熱片等の放熱部材を数点新たに要する。このため、構造が複雑となり、機器組立性が悪化し、製品のコストアップの要因となる。
【課題を解決するための手段】
【０００６】
本発明はこのような課題を解決するためになされたもので、
表示部を有する電子機器において、
電子機器の筐体内に設けられて表示部を保持し、筐体内にある発熱源と熱的に連結されて一部が筐体の表面の少なくとも一部において外部に露出する表示部保持部
を備えて、電子機器を構成した。
【０００７】
この構成によれば、電子機器の筐体内にある発熱源で発生した熱は、筐体内において表示部を保持する、発熱源と熱的に連結された表示部保持部を伝わり、筐体の表面の少なくとも一部において外部に露出する表示部保持部の一部から、筐体外部に放熱される。このため、表示部を保持する表示部保持部が、発熱源で発生した熱を放熱する放熱部を兼ね、放熱部を新たに設ける必要がないので、発熱源で発生した熱を簡単な構造で放熱することが可能となる。
【発明の効果】
【０００８】
本発明による電子機器によれば、新たに部品を要することなく、簡単な構成で電子機器の放熱性能を向上させることができる。
【図面の簡単な説明】
【０００９】
【図１】（ａ）、（ｂ）および（ｃ）は、本発明の一実施の形態によるデジタルカメラの斜視図、正面図および背面図である。
【図２】（ａ）は、図１に示すデジタルカメラをレンズ鏡筒の光軸を含む垂直な面で破断した場合の縦断面図、（ｂ）は、デジタルカメラをレンズ鏡筒の光軸を含む水平な面で破断した場合の横断面図、（ｃ）は、デジタルカメラの底面図である。
【図３】（ａ）は、図１に示すデジタルカメラと係合される放熱ブロックの斜視図、（ｂ）は放熱ブロックの底面図、（ｃ）は、デジタルカメラの底面と係合される放熱ブロックの断面およびデジタルカメラの正面を示す図である。
【図４】本実施の形態の変形例によるデジタルカメラを示し、（ａ）は、レンズ鏡筒の光軸を含む水平な面で破断した場合の横断面図、（ｂ）は、デジタルカメラの側面と係合される放熱ブロックおよびデジタルカメラの正面図である。
【発明を実施するための形態】
【００１０】
次に、本発明による電子機器をデジタルカメラに適用した場合における、本発明の一実施の形態について説明する。
【００１１】
図１（ａ）、（ｂ）および（ｃ）は、この一実施の形態によるデジタルカメラ１の斜視図、正面図および背面図である。
【００１２】
デジタルカメラ１の筐体２の上面には、同図（ａ）に示すように、デジタルカメラ１への電源投入を操作する電源スイッチ３が設けられている。この電源スイッチ３の隣には、被写体を撮影する際に操作されるレリーズボタン４が設けられている。筐体２は、前カバー２ａと後カバー２ｂとから成り、略直方体状をなす。
【００１３】
デジタルカメラ１の正面には、同図（ａ）および（ｂ）に示すように、撮影用のレンズ鏡筒５が設けられ、レンズ鏡筒５の背面には撮像素子２１が内蔵されている。レンズ鏡筒５は、沈胴位置から所定の突出位置へ移動自在に構成されている。レンズ鏡筒５の右上方の前カバー２ａには、フラッシュ窓６が設けられている。撮影時、必要に応じてこのフラッシュ窓６を介して、筐体２内に設けられた発光部から被写体に向けてフラッシュ光が出射される。
【００１４】
デジタルカメラ１の背面には、同図（ｃ）に示すように、液晶モニタ７が設けられている。この液晶モニタ７は、ＬＣＤ（Liquid Crystal Display）等からなり、撮影画像等を表示する表示部を構成する。液晶モニタ７の右側には、メニュー画面におけるメニュー項目の選択操作などを行うマルチセレクタ８が設けられている。マルチセレクタ８は、方向キー８ａと決定ボタン８ｂとから構成されている。方向キー８ａは、液晶モニタ７に表示されたメニュー画面において撮影者が設定したい項目を選択する際に、上下左右方向に押下操作されたり、円周方向に回転操作される。決定ボタン８ｂは、撮影者が方向キー８ａを操作して選択した項目を決定する際に押下操作される。
【００１５】
また、マルチセレクタ８の周囲には、モードボタン９、メニューボタン１０、再生表示ボタン１１、および消去ボタン１２が設けられている。モードボタン９は、液晶モニタ７に撮影モード選択画面を表示させる際に操作され、メニューボタン１０は、液晶モニタ７にメニュー画面を表示させる際に操作される。また、再生表示ボタン１１は、撮影画像を液晶モニタ７に再生表示させる際に操作され、消去ボタン１２は、撮影画像を消去する際に操作される。モードボタン９の上方には、動画撮影ボタン１３が設けられている。動画撮影ボタン１３は、動画撮影を開始させる際に操作される。
【００１６】
図２（ａ）は、図１に示すデジタルカメラ１をレンズ鏡筒５の光軸Ａを含む垂直な面で破断した場合の縦断面図、同図（ｂ）は、デジタルカメラ１をレンズ鏡筒５の光軸Ａを含む水平な面で破断した場合の横断面図、同図（ｃ）は、デジタルカメラ１の底面図である。なお、同図において図１と同一部分には同一符号を付してその説明は省略する。
【００１７】
被写体光は、撮像素子２１の前面側に設けられるレンズ鏡筒５を通り、撮像素子２１に入射する。撮像素子２１は、回路基板２３に設けられたＣＰＵ（Central Processing Unit）を備えた電気素子２４の制御の下で、入射した被写体光により被写体像を撮影する。撮像素子２１および電気素子２４は、作動することで発熱する発熱源である。動画撮影ボタン１３により動画撮影が開始されると、撮像素子２１および電気素子２４はより多くの熱を発する。筐体２の内部には、撮像素子２１の背面および電気素子２４の前面に接触して発熱源と熱的に連結された液晶保持部２２が設けられている。液晶保持部２２は、折り曲げ加工された板金か、ダイカスト等により製造され、筐体２内に設けられて液晶モニタ７を保持する表示部保持部を構成する。この液晶保持部２２は、従来は放熱性（熱伝導性）が劣るステンレス製等であったが、本実施形態では、純アルミ、マグネシウム、純銀、銅等の、放熱性に優れた部材から成る。
【００１８】
液晶保持部２２の一部は、同図（ａ）および（ｃ）に示すように、筐体２の底面の一部において外部に露出する。また、前カバー２ａおよび後カバー２ｂの一部は、同図（ａ）および（ｂ）に示すように、筐体２の底面および両側面において液晶保持部２２と接触している。液晶保持部２２とこのように接触して熱的に連結された前カバー２ａおよび後カバー２ｂは、液晶保持部２２と同様な放熱性に優れた部材から成る。
【００１９】
筐体２の底面における液晶保持部２２の露出部分には、三脚の取付ネジが螺合する雌ネジ２６が設けられている。また、筐体２の内部のバッテリー室内にはバッテリー２５が格納されており、筐体２の底面には、バッテリー室の開口部を覆う電池蓋２７およびＵＳＢ（Universal Serial Bus）コネクタ２８が設けられている。バッテリー２５は、デジタルカメラ１の各種回路に電力を供給する。ＵＳＢコネクタ２８は、例えばパソコン（パーソナル・コンピュータ）などの外部機器と接続され、デジタルカメラ１内に保存されている画像データがパソコンに転送されたりする。
【００２０】
図３（ａ）は、デジタルカメラ１と係合される放熱ブロック３１の斜視図、同図（ｂ）は放熱ブロック３１の底面図、同図（ｃ）は、デジタルカメラ１の底面と係合される放熱ブロック３１の断面およびデジタルカメラ１の正面を示す図である。なお、同図において図１と同一部分には同一符号を付してその説明は省略する。
【００２１】
放熱ブロック３１は、液晶保持部２２と同様な放熱性に優れた金属部材のかたまりから成る。本実施形態では、放熱ブロック３１は、断面がコの字形状に形成されているが、その形状はコの字形状に限定されるものではない。放熱ブロック３１の中央部に形成された穴には、雄ネジ３２が挿通される。雄ネジ３２は、つまみ３２ａが頭部に設けられ、その先端が、放熱ブロック３１の上面側に突出して放熱ブロック３１に取り付けられる。
【００２２】
同図（ｃ）に示すように、デジタルカメラ１の底面に放熱ブロック３１を取り付ける際、つまみ３２ａを回転させて、デジタルカメラ１の底面の雌ネジ２６に放熱ブロック３１の雄ネジ３２を螺合させることで、放熱ブロック３１がデジタルカメラ１の底面に係合される。デジタルカメラ１の底面の雌ネジ２６は、筐体２の外部に露出する液晶保持部２２の露出部分と放熱ブロック３１とを着脱自在に接触させる係合部を構成する。
【００２３】
このような本実施形態によるデジタルカメラ１によれば、デジタルカメラ１の筐体２内において発熱源となる撮像素子２１および電気素子２４で発生した熱が、筐体２内において液晶モニタ７を保持する、発熱源と熱的に連結された液晶保持部２２を伝わり、図２（ａ）および（ｃ）に示すように筐体２の底面の一部において外部に露出する液晶保持部２２の一部から外部に放熱される。このように、液晶モニタ７を保持する液晶保持部２２が放熱部を兼ね、放熱部を新たに設けずに発熱源で発生した熱を放熱することが可能となる。この結果、新たに部品を要することなく、簡単な構造でデジタルカメラ１の放熱性能を向上させることができる。
【００２４】
また、本実施形態によるデジタルカメラ１によれば、液晶保持部２２が放熱性に優れた部材から成るので、発熱源で発生した熱は外部に露出する部分の液晶保持部２２から効率的に筐体２の外部へ放熱され、放熱効果が高まる。
【００２５】
また、本実施形態によるデジタルカメラ１によれば、筐体２が放熱性に優れた部材から成り、その底面および両側面において図２（ａ）および（ｂ）に示すように液晶保持部２２と熱的に連結される。このため、発熱源で発生した熱は、液晶保持部２２を伝わり、筐体２の底面において外部に露出する液晶保持部２２の一部から放熱されると共に、放熱性に優れた部材から成る筐体２からも放熱される。従って、外気に触れて放熱される部分の面積が大きくなるので、放熱効果が一層高まる。
【００２６】
また、本実施形態によるデジタルカメラ１は、筐体２の底面において外部に露出する液晶保持部２２の露出部分と放熱ブロック３１とを着脱自在に接触させる係合部を雌ネジ２６として備える。このため、この雌ネジ２６によって放熱ブロック３１を液晶保持部２２の露出部分に取り付けることで、筐体２内部から液晶保持部２２の露出部分に伝わった熱が、放熱ブロック３１により効率よく放熱され、放熱効果が特に高まる。従って、例えば、発熱量が特に多い動画撮影を行う場合であっても、放熱ブロック３１を雌ネジ２６によって取り付けることで、発生する多量の熱を効率良く放熱でき、長時間の動画撮影も可能となる。
【００２７】
図４は、本実施の形態の変形例によるデジタルカメラ１を示し、同図（ａ）は、レンズ鏡筒５の光軸Ａを含む水平な面で破断した場合の横断面図、同図（ｂ）は、デジタルカメラ１の側面と係合される放熱ブロック３１およびデジタルカメラ１の正面図である。なお、同図において図２および図３と同一または相当する部分には同一符号を付してその説明は省略する。
【００２８】
上述した実施形態では、図２に示すように、液晶保持部２２は、デジタルカメラ１の底面において筐体２の外部に露出する構成であったが、本変形例では、図４（ａ）に示すように、デジタルカメラ１の両側面において筐体２の外部に露出する構成になっている。また、デジタルカメラ１の側面における、液晶保持部２２の露出部分に、上述した雌ネジ２６に相当する不図示の雌ネジが設けられている。
【００２９】
同図（ｂ）に示すように、デジタルカメラ１の側面に放熱ブロック３１を取り付ける際、つまみ３２ａを回転させて、デジタルカメラ１の側面の雌ネジに放熱ブロック３１の雄ネジ３２を螺合させることで、放熱ブロック３１がデジタルカメラ１の側面に係合される。このため、この構成によっても、上述した実施形態と同様に、筐体２内部から液晶保持部２２の露出部分に伝わった熱が、放熱ブロック３１により効率よく放熱され、放熱効果がより一層高まる。
【００３０】
なお、上記実施形態および変形例では、液晶保持部２２と熱的に連結される前カバー２ａおよび後カバー２ｂは、その全てが放熱性に優れた部材から成る構成であったが、その少なくとも一部が放熱性に優れた部材から成る構成にしてもよい。
【００３１】
また、上記実施形態および変形例では、液晶保持部２２は、図２および図４に示すように、デジタルカメラ１の底面または側面においてその一部が筐体２の外部に露出する構成であったが、他の箇所における筐体２の表面の少なくとも一部において外部に露出する構成であってもよい。例えば、筐体２の上面においてその一部が筐体２の外部に露出する構成であってもよい。また、底面、側面、上面の複数面においてその一部が筐体２の外部に露出する構成でもよい。また、液晶保持部２２は、その一部ではなく全部において筐体２の外部に露出する構成でもよい。
【００３２】
また、上記実施形態および変形例では、デジタルカメラ１と放熱ブロック３１とは、デジタルカメラ１の雌ネジ２６および放熱ブロック３１の雄ネジ３２により係合される構造であったが、他の構造、例えば、マグネットで電磁的に互いを係合させたり、爪により機械的に互いを係合させる構造にしてもよい。また、放熱ブロック３１の形状は、図３に示す形状に限らず、例えばヒートシンクのようなフィン状の形状にしてもよい。
【００３３】
また、上記実施形態および変形例では、作動することで発熱する発熱源は、撮像素子２１および電気素子２４であったが、発熱源は、これらに限らず、他の電気回路部分や、機械的に作動して発熱するものでもよい。
【００３４】
また、上記実施形態および変形例では、液晶保持部２２は、図２（ｂ）に示すように、撮像素子２１および電気素子２４に直接接触する構成であったが、撮像素子２１および電気素子２４に熱伝導シートなどを介して接触する構成であってもよい。
【００３５】
また、デジタルカメラ１の表示部は、図１に示すＬＣＤ等から成る液晶モニタ７に限らず、例えば、有機ＥＬでもよい。
【産業上の利用可能性】
【００３６】
上述した実施形態および変形例では、本発明による電子機器をデジタルカメラに適用した場合について説明したが、携帯電話機や、パソコン、テレビ、ビデオカメラなどの、液晶等の表示部を備えたその他の電子機器にも同様に適用することができる。
【符号の説明】
【００３７】
１…デジタルカメラ
２…筐体
２ａ…前カバー
２ｂ…後カバー
７…液晶モニタ
２１…撮像素子
２２…液晶保持部
２４…電気素子
２６…雌ネジ
３１…放熱ブロック
３２…雄ネジ
【図１】
2012173591.tif 000003
【図２】
2012173591.tif 000004
【図３】
2012173591.tif 000005
【図４】
2012173591.tif 000006